(57)【要約】光スイッチング装置が、光スイッチと、コネクタに結合可能な光コネクタ受入れ手段と、コネクタを前記受入れ手段に結合することによってスイッチングを実行する手段とを備え、一旦コネクタが、このコネクタと光通信を行う受入れ手段と十分に結合されると、前記スイッチング実行手段が作用するか又は作用を受けることを特徴とする。
2006525536.tif 000002
【特許請求の範囲】
【請求項１】
光スイッチと、コネクタと結合可能な光コネクタ受入れ手段と、コネクタを前記受入れ手段と結合することによってスイッチングを実行する手段とを備える光スイッチング装置であって、一旦コネクタが、前記コネクタと光通信を行う前記受入れ手段の中に十分に嵌め込まれると、前記スイッチング実行手段が作用するか又は作用を受けることを特徴とする光スイッチング装置。
【請求項２】
前記コネクタ受入れ手段は、コネクタが前記コネクタ受入れ手段に結合されるとき、それはスナップ作用によってコネクタをその動作位置に固定させ、かつ前記スナップ作用の結果として前記コネクタ受入れ手段にスイッチングを引き起こさせる手段が設けられるように構成される、請求項１に記載の装置。
【請求項３】
前記装置は前記スイッチングがコネクタ・レバーによって引き起こされるようになっている、請求項２に記載の装置。
【請求項４】
前記コネクタ受入れ手段は、デュプレックス・コネクタ・レバーにスイッチングを引き起こさせる単一レバー収容部分を備えるデュプレックス受入れ手段である、前記請求項のいずれかに記載の装置。
【請求項５】
前記スイッチングを実行する手段は、撓み板上に装着された反射又は屈折要素を組み込み、その撓み板は、前記コネクタが前記受入れ手段から脱着されるときに前記要素を戻すように構成されている、請求項１に記載の装置。
【請求項６】
前記スイッチングを実行する手段は、前記コネクタが完全に定位置に押し込まれるときに電気回路を完成させることによって動作する、請求項１に記載の装置。
【請求項７】
前記スイッチングを実行する手段は磁気的手段によって動作する、請求項１に記載の装置。
【請求項８】
請求項１に記載の光スイッチング装置を備える、光学要素の追加によって光ネットワークの機能を拡張するための装置。
【請求項９】
光スイッチと、コネクタに結合可能な光コネクタ受入れ手段とを備える光スイッチング装置であって、そのスイッチングは、外部源が使用される場合には、固定機構に前記コネクタを前記受入れ手段の中に固定させる外部源によって起動されることを特徴とする光スイッチング装置。
【請求項１０】
コネクタが前記受入れ手段の中の定位置にあるときのみに光が前記コネクタに伝送されることを確実にするための手段が設けられる、請求項９に記載の装置。
【発明の詳細な説明】
【技術分野】
【０００１】
本発明は、光スイッチング装置及びこのような光スイッチ装置を備える光ネットワークの機能を拡張するための装置。
【背景技術】
【０００２】
光ネットワークを設計する際の主要な問題の１つは、光アド／ドロップ・マルチプレクサ（ＯＡＤＭ）、光スイッチ、増幅器、等化器、及び分散補償要素などの光学的構成要素の配置にある。このような要素の包含及び配置に関する設計上の決定には、ネットワーク上の初期通信量ばかりでなく、しばしば予測不能である将来的なネットワークの成長にも対応する必要がある。この問題は、費用を最小限にする必要があり、かつ成長が特に予測不能である首都圏（又は都市部）のネットワークでは特に肝要である。
【０００３】
本発明に最も類似する従来技術が確認されている。
・ＪＰ０４０３６６８０４Ａ（日立）
・ＵＳ６４６３１８９Ｂ１（アバネックス社（Ａｖａｎｅｘ））
・ＵＳ６４３０３３２（ファイバ社（Ｆｉｂｒｅ））
・ＪＰ０２０２７２４０５Ａ（富士通）
・ＵＳ５１７９６０２（ノルクロス社（Ｎｏｒｃｒｏｓｓ））
【発明の開示】
【課題を解決するための手段】
【０００４】
本発明の第１の広範な独立態様によれば、光スイッチと、コネクタに結合可能な光コネクタ受入れ手段と、コネクタを前記受入れ手段と結合することによってスイッチングを実行する手段とを備える光スイッチング装置であって、一旦コネクタが、このコネクタと光通信を行う受入れ手段の中に十分に嵌め込まれると、前記スイッチング実行手段が作用するか又は作用を受けることを特徴とする光スイッチング装置が提供される。
【０００５】
このような光スイッチング装置の１つの応用例が光ネットワークの分野に存在し、そこでは光学要素をネットワークの中に後付けすることが望まれ得る。この場合には、本発明は光学要素の追加によって光ネットワークの機能を拡張するための装置を提供するが、この装置は先ほど挙げた光スイッチング装置を備え、そのコネクタは前記光学要素に接続される。
【０００６】
このような混成スイッチ／コネクタ構造を使用する利点は、光コネクタ及び受動装置に使用するために開発された通常の備品取付け方法が利用可能なことである。取付け要員はコネクタの端部を清掃して光学要素をネットワークにプラグ接続するだけである。光学要素をネットワークにプラグ接続する動作と、通信データを光学要素に迂回させるためにスイッチを駆動する動作との間に手順上の中断が存在しない。
【０００７】
当該の混成スイッチ／コネクタ構造はまた、使用者がコネクタを受入れ手段に挿入する速度に依存しないので特に有利である。一旦、コネクタが適切に位置決めされると、使用者に桁外れの労力を掛けることなく即座にスイッチングが行われる。これは、スイッチの入力又は出力ポートがコネクタの挿入速度に直接依存する様態で変位され、しかも一旦定位置に固定されてからではなくコネクタの挿入中に変位される富士通などの従来技術の特許文書の開示（上で参照した）から根本的に脱却することを明確に示す。
【０００８】
細心の設計によって、１０ミリ秒未満で光スイッチングを動作させることが可能であり、それはネットワークの光通信量にそれほどの影響を与えることなく要素を導入するには十分な短さである。
【０００９】
本発明の広範な態様に係る従属的な態様では、コネクタ受入れ手段は、コネクタがコネクタ受入れ手段に結合されるとき、それはスナップ作用によってコネクタをその動作位置に固定させ、かつこのスナップ作用の結果としてコネクタ受入れ手段にスイッチングを引き起こさせる手段が設けられるように構成される。この構成は、標準的なコネクタを使用して迅速かつ確実な様態でこのスイッチング実行手段を駆動できるので特に有利である。
【００１０】
他の従属的な態様では、本装置は、スイッチングがコネクタ・レバーによって引き起こされるようになっている。
【００１１】
他の従属的な態様では、コネクタ受入れ手段は、デュプレックス・コネクタ・レバーにスイッチングを引き起こさせる単一レバー収容部分を備えるデュプレックス受入れ手段である。この構成は、デュプレックス応用例のために実現すべき精度を向上させ得る。それは、単一レバー式デュプレックス・コネクタを受け入れるのに必要な構成要素の点数も削減する。
【００１２】
他の従属的な態様では、スイッチングを実行する手段は、撓み板上に装着された反射又は屈折要素を組み込み、その撓み板は、コネクタが受入れ手段から脱着されるときに前記要素を戻すように構成されている。この構造は、それが操作者の接続動作を変更することなく迅速なスイッチングに関して高水準の再現性を実現するので特に有利である。
【００１３】
他の従属的な態様では、スイッチングを実行する手段は、コネクタが完全に定位置に押し込まれるときに電気回路を完成させることによって動作する。
【００１４】
スイッチの駆動は、電気的、完全に機械的、又は完全に磁気的な手段によって行われ得る。電気的又は完全に磁気的な駆動の利点は、それがスイッチの気密封止を簡素化し、それによってスイッチを望ましくない異物混入から保護することである。電気的な駆動の第２の利点は、それによって数多くの既存の電動式スイッチ構造が、この混成スイッチ／コネクタ構造で使用可能になることである。完全に機械的又は完全に磁気的な駆動の利点は、それがスイッチを駆動するための外部電源を必要としないことである。
【００１５】
第２の広範な独立態様では、本発明は、光スイッチと、コネクタと結合可能な光コネクタ受入れ手段とを備える光スイッチング装置であって、そのスイッチングは、外部源が使用される場合には、固定機構にコネクタを受入れ手段の中に固定させる外部源によって起動されることを特徴とする光スイッチング装置を提供する。
【００１６】
本発明の第２の広範な態様に係る従属的な態様では、コネクタが受入れ手段の中の定位置にあるときのみに光がコネクタに伝送されることを確実にする手段が設けられる。
【発明を実施するための最良の形態】
【００１７】
本発明の原理が図１に例示されている。図１では、光スイッチング装置が２ｘ２スイッチ１０の形態にある光スイッチを備え、それは一方の側が既存のネットワーク１２に接続され、他方の側が光コネクタ１６の一方の半部分１４に接続されている。この実施形態では、半部分１４は受入れ手段の役割を果たす。光コネクタ１６の他方の半部分１８（これもコネクタと呼び得る）は光学要素２０に接続されるが、それは、単なる例として挙げれば、増幅器、アド／ドロップ・マルチプレクサ等々であり得る。
【００１８】
本装置の第１の動作方式では、第１のコネクタ半部分に接続するスイッチ１０が、原位置で既存のネットワーク１２中に挿入されてポート２２上の光信号がポート２４を介して直接伝送されるように構成されている。スイッチのポート２６及び２８は、この段階では休止状態にあり、ネットワーク１２の機能を拡張することが望ましいときに備えてコネクタ１６の半部分１４に接続されているにすぎない。
【００１９】
光学要素２０を追加することによってネットワークを拡張すべき時点が到来すると、コネクタ１６の第２の半部分１８が第１の半部分１４と結合され、これらの２つの半部分を互いに結合する動作が、スイッチ１０を駆動し（波線３０参照）、ポート２２上の光信号がポート２６を介して伝送され、コネクタ半部分１４及び１８を経由して光学要素２０に出力され、再びコネクタ半部分１８及び１４を経由してスイッチのポート２４を介してネットワークに出力される。したがって光学要素２０はネットワークに「後付け」されている。
【００２０】
コネクタ結合動作によるスイッチの駆動は、幾つかの形態のいずれかを取り得る。このような純粋に機械的な形態の１つが図２（ａ）に示されている。図２（ａ）では、２ｘ２スイッチ４０が、１対のファイバ導波管４４、４６を一端に収容するスイッチ本体４２を備える。これらの導波管はそれぞれのコリメータと併用して動作することもできる。本体４２の他端には、対応する１対のファイバ導波管／コリメータ４８、５０が存在する。本体４２の他端には、光コネクタの一方の半部分として機能するフェルール５２も装着されている。本体の中には、２つの全反射面５６、５８を有するプリズム５４と、このプリズムに装着されたレバー６０とが存在する。プリズムは、導波管中の光放射を妨害しないようにレバーに加えられる圧力によって下方に滑動自在の様態で本体中に保持されている。本対４２は、図２（ｂ）及び２（ｃ）に関連して説明すべき理由のために移動止め６２を有する。
【００２１】
スイッチの第１の動作方式では、光導波管４４に進入する光信号は、表面５６、５８で反射されて、再び光導波管４６を介して退出する。第２の動作方式では、光学要素を追加することによってネットワークを更新することが望ましいとき、第２のコネクタ半部分７０（図２（ｂ）参照）がフェルール５２上に嵌着され、第２のコネクタ半部分の結合表面５５が、フェルール５２の端部と直に当接するようになっている。この位置では、２つの他の光導波管／コリメータ７２、７４が、最終的に導波管４８、５０から退出したり、又はそれに進入したりする光を搬送することができる。導波管７２、７４は光ファイバを経由して光学要素７６に接続される。
【００２２】
一旦、２つのコネクタ半部分（又は、換言すれば、受入れ手段及びコネクタ）が図２（ｂ）に示すように相互に突き合わされると、バルクヘッド７８が前方に押され、バルクヘッド７８に枢支されているバネ押しアーム８２の鈎状端部８０が移動止め６２に乗り上げて、この移動止めの背後に落下する（図２（ｃ）参照）。この過程で、鈎状端部８０がレバー６０を押下し、それによってプリズム５４が下方に押されて、光信号が本体４２の２つの端部にある導波管の間を通過できるようにする。（一旦、バルクヘッド７８を後退させるとプリズムがその元の位置に復帰できるように、このプリズムもバネ押し式になっている。）したがって、図１に関して説明したように、この光学要素は今や導波管４４、４６に接続されたネットワークの一部である。
【００２３】
本発明の第２の実施形態は、２ｘ２スイッチ駆動の電気的形態を使用する。それを図３に示すが、そこでは２つのコネクタ半部分１４、１８（又は、換言すれば、受入れ手段及びコネクタ）が追加的な電気スイッチ部材８０、８２にそれぞれ結合されている。図３に示す実施では、スイッチ部材８２は、対向部材８０に面すべき端部に小突起８６を有する取付け具８４のみから成る。この突起８６は、コネクタ半部分１４に付着され、かつ単極スイッチ８８として動作するスイッチ部材８０の内部に嵌入し、それによって配線９０、９２、電池又は他の電源９４、及び２ｘ２スイッチ１０内部の駆動手段から成る回路を完成させる。この駆動手段は、図２（ａ）、（ｂ）、及び（ｃ）に示したプリズムのような光学要素を変位させる非常に小型のソレノイドなどの電磁駆動装置の形態を取り得る。
【００２４】
実施では、スイッチを駆動する前にコネクタ半部分の中の導波管端部を結合させるように設定しなければならない。これには、コネクタ半部分が完全に結合されると突起８６のみがスイッチ８８を動作させる配置が必要である。これは、例えば、スイッチ部材８２が、コネクタ半部分１８に対して軸方向に移動可能であるが、同時にそれに付着されているような配置によって実現可能である。別法として、図３に示した部品９４及び８８によって構成された電気回路中に電気的な遅延を含むことも可能である。
【００２５】
２ｘ２スイッチは、機械的又は電気的に駆動可能であるばかりでなく、純粋に磁気的な手段によっても駆動可能である。このような一実施例が図４に示されている。図４（ａ）では、２ｘ２スイッチ１００が両端に光導波管／コリメータ１０４、１０６を収容する本体１０２を備え、これらの両端間には、２つの反射側面を有するプリズム１０８が導波管の共通軸を外して配置されている。このプリズムには、導波管の軸に垂直な２本の脚１１２、１１４と、導波管の軸に平行なそれぞれの端部分１１６、１１８とを有する小さな鉄枠１１０が固着されている。これらの脚には切抜きが設けられ、光が妨害を受けずに通過することができる。他の導波管１３０、１３２は導波管１０４、１０６に対して垂直に配向される。第１のコネクタ半部分１１７（又は、換言すれば、受入れ手段）が何らかの適切な手段によって本体１０２に付着されている。
【００２６】
図示のように磁気的に配向された２個の小さな永久磁石１２０、１２２（両磁石の極性は、図に示したものとは逆の符号でもよい）が、第２のコネクタ半部分１２４（又は、換言すれば、コネクタ）の径方向両端に装着されている。これらの磁石は、例えば、コネクタ半部分の中に作成したそれぞれの穴の中に配置され、コネクタ半部分自体の中に有利に嵌入されるか、又はそれらがコネクタ半部分の外側にあってもよい。本実施形態では、信頼性のある磁石駆動動作を可能にする観点から、かつ、さらに重要であるが、確実に光をスイッチから第２のコネクタ半部分の導波管まで適切に伝送する観点から、第２のコネクタ半分をスイッチ自体に対して正確に配向しかつ位置決めする必要がある。この目的のために、第１のコネクタ半部分１１７はスイッチ本体１０２に対して正確に位置決めされ、かつそれは第２のコネクタ半部分１２４の周囲にぴったりと嵌るように設計されている穴１１９を有する。導波管１３０、１３２と導波管１２６、１２８との間の適切な位置合わせを確保するために、２つのコネクタ半部分１１７、１２４は、例えば、第１のコネクタ半部分１１７の中に軸溝を設け、かつ対応する軸畝を第２のコネクタ半部分１２４の中に設けることによって相互に楔栓固定される。選択的に第２のコネクタ半部分を第１のコネクタ半部分に掛止し、かつそれらが一旦相互に結合されると第１のコネクタ半分から掛止解除するように、釈放自在の掛止手段（図示せず）も存在し得る。
【００２７】
動作では、第２のコネクタ半部分１２４が第１コネクタ半部分１１７の中に導入されるとき、枠は磁石に向かって引き寄せられてプリズムが下方に変位され、枠の端部分１１６、１１８が本体１０２の底に対接して静止する（図４（ｂ）参照）。（プリズムは、それが導波管１０４、１０６に関する限り同じ軸位置を維持するように、横移動に関してはいずれも拘束されることに留意すべきである。）この位置では、プリズムは異なる導波管に進入し／それから退出する信号をいずれも全反射するように動作する（図４（ｂ）中の矢印を参照）。このような本発明の形態では、ネットワーク接続が導波管１０４、１０６に対して存在すると共に、ネットワークに後付けすべき光学要素が、第２のコネクタ半部分１２４の中の導波管１２６、１２８に接続されている。
【００２８】
枠１１０の全体を磁気材料によって構成する代わりに、端部分１１６、１１８のみが磁性を有し、他の部分が、例えば、合成材料から作製されてもよい。さらには、図４（ａ）及び４（ｂ）中の枠１１０は、例えば、形状が四角形であり、それによって脚１１６、１１８が、四角形の一辺を構成する１つの水平部材によって置き換えられるか、又は依然として２本の脚部の形態にあるが、図示のような２個の磁石を使用するか若しくは恐らく第２のコネクタ半部分中の中心に配置されることになる１個のみの磁石を使用するために、外側ではなく内側を向くようにも配置可能である。
【００２９】
磁気駆動の利点は、スイッチの内部構成要素と直に結合しないので、そのためにスイッチを気密封止できることである。
【００３０】
２ｘ２スイッチ機能の別法による実施が図５に示されている。ここでは、４角形（好ましくは正方形）のプリズム１４０が、その中心回りに光導波管１４４、１４６、１４８、及び１５０の軸に直交する軸上で回動自在であるように、スイッチ本体１４２の内部に保持されている。第１の動作方式では、即ち、光信号がネットワークの異なる部分間を通過できるようにスイッチが既存のネットワークの一部であるときには、信号は導波管１４４からプリズム１４０を通過して導波管１４８から退出する。プリズム１４０の関与面が導波管１４４及び１４８中の光信号の移動方向に対して厳密に垂直であるので、光信号の屈折は起こらない。導波管１４６及び１５０はこの時点では信号を搬送しない。第２の動作方式では、何らかの駆動形態（例えば、先の実施形態に関連して説明したように機械的、電気的、又は磁気的な）が、図５（ｂ）に示した位置を取るようにプリズムを完全に４５°回転させ、そのために今や屈折が生じてネットワークからの信号が、導波管１５０を経由して退出させられ、第２のコネクタ半部分（図示せず）が接続されている光学要素を通過した後に導波管１４６を介してスイッチに再進入し、そこで信号は再度プリズムを通過して導波管１４８経由で退出する。
【００３１】
スイッチの別の形態が図６（ａ）に示されている。図６（ａ）では、４本の導波管１６０、１６２、１６４、及び１６６がスイッチ本体１６８の内部に「Ｘ」構成で収容されているが、その中心に達することはない。両側に反射表面を有する反射要素１７０が、一方の側の導波管１６０及び１６４と他方の側の導波管１６２及び１６６との間に位置する。この反射要素１７０は、これまで説明した方法のいずれかによって駆動される駆動アーム１７２に装着されている。
【００３２】
動作に際して、先に説明した第１の方式では、反射要素１７０が導波管中の信号の交差線の上方に持ち上げられており、ネットワーク信号が導波管１６０を通過し、次いで導波管１６６を再び通過して退出するようになっている。他方で、第２の動作方式では、即ち、導波管１６２及び１６４に結合された光コネクタ半部分が光学要素をネットワークの中に接続するために結合されるべきときには、アーム１７２が変位されて反射要素１７０を下向きに移動させるが、そうすると導波管１６０からの信号が反射されて導波管１６４経由でスイッチから退出し、次いで導波管１６２の中の戻り信号が反射されて導波管１６６経由でスイッチから退出してネットワークに戻る。
【００３３】
ここまでは本発明に係る光スイッチング装置は、特に光ネットワークを光ネットワークに後付けすることに応用されるものとして説明されてきたが、それは他の応用例にも使用可能である。そのような１つが、光センサ分布システムであり、そこでは、例えば、光学温度センサが必要に応じてファイバ・リングの中にプラグ接続され得る。別の応用例は光パワー分布システムであり得るが、そこではリングの中に既に挿入されているコネクタ／スイッチに装着することによって、光パワーがこのリングから抽出され得る。第３の別法は、送受信器装置が、例えば、軍事ネットワーク中の安全通信リング上にクリップされ得るように本発明のコネクタ／スイッチを使用する。
【００３４】
図７は、アダプタ筐体１８２の一部として１７１と参照符号を附したような受入れ手段を有する光スイッチ・コネクタ装置１７０を示すが、この受入れ手段は対応するコネクタ１７２を受け入れるように構成されている。コネクタ１７２は、知られている代替物から当業者によって選択可能である。受入れ手段は、レバー１７３の一部に係合するように成形可能であり、受入れ手段１７１の内部溝は、コネクタ１７２が操作者によって挿入されるときにレバー１７３を固定位置に案内するように配置可能である。コネクタとコネクタ・スイッチとの間の光通信を可能にするようにコネクタが十分に係合されるとき、受入れ手段の内部溝は圧縮レバーを固定位置へと急速に撓ませる（すなわち、スナップ作用）。レバーがその固定位置において上昇するとき、このレバーは、入力ポート１７６と出力ポート１７７との間で光伝送回線の外側から光伝送回線の内側に屈折装置１７５を持ち上げる伝送アーム１７４に対して作用し得る。これは、光をポート１７６からポート１７８まで屈折させ、かつポート１７７からポート１７９まで屈折させることになる。回線１８０及び１８１は、アダプタ筐体１８２の端部の中にプラグ接続された適切なコネクタ（この図に例示せず）で終端するように構成可能である。
【００３５】
コネクタ１７２がその受入れ手段１７１から脱着されるとき、通常の通信量が回復し得るように撓み板１８３が屈折要素１７５を押下してポート７６及び７７の光路から外す。
【００３６】
入力ポート１７６等は、約１ｍｍの直径及び７ｍｍの長さのコリメータを含み得る。屈折要素は約１ｍｍの厚さ及び２ｍｍの幅を有し得る。当然のことであるが、他の寸法も特定の応用例に適切であるように当業者によって選択可能である。
【００３７】
図８は、屈折要素を駆動するための単一レバーを有するデュプレックス・パッチ・ケーブルを受入れできる種類の受入れ手段１８５を備えるアダプタ１８４を示す。１８６と参照符号を附したような内部溝が、適切なコネクタ・レバーを案内しかつ固定するために図７を参照して上で論じた溝と同様な様態で設けられ得る。２つの光結合トンネル１８７及び１８８が各コネクタの光学的端部に係合するように設けられる。
【００３８】
図９は、単一コネクタ１９１と共に動作するように設定されたアダプタ筐体１９０の頂部上に位置する、全体として１８９と参照符号を附した２ｘ１光スイッチを模式的に示す。単一コネクタがその対応する受入れ手段の中に固定されるとき、コネクタを定位置に固定することに伴うスナップ作用によって、アーム１９２及びその対応する屈折要素１９３がコリメータ１９４と１９５の間を進む光の光路の中に持ち上がり得る。屈折要素がその持ち上がり位置にある効果は、光をコリメータ１９４からコリメータ１９６まで屈折させ、さらにアダプタ筐体１９０を経由してコネクタ１９１上に屈折させることである。
【００３９】
図７から９までの全ての実施形態は、操作者がコネクタを係合するときに、アーム１９２のようなスイッチング実行手段が駆動され得るように当業者によって変更可能である。このスイッチング実行手段には、磁気的、電子的、及びコネクタが適切な光接続位置にあるときに行われる起動機構の他の任意適切な形態が含まれ得る。本システムは約１０ミリ秒のスイッチング速度が実現可能であり、通信データの流れの中断がいずれも最小化されて殆ど完全に排除される。
【００４０】
図１０は、標準的な構造であり得るコネクタ２０１及び受入れ手段２０２を示す。一旦、コネクタが受入れ手段に結合されると、光学要素２０３がネットワークに追加され得る。スイッチ２０４は標準的な種類のスイッチでよいが、そのスイッチングは外部源（即ち、キー２０５）によって起動される。一旦、コネクタが受入れ手段の中に固定されると、キーがスイッチを駆動するときにピンとソレノイドの組立体２０６が駆動される。レバーを有する標準的なコネクタが使用される場合は、このピンがコネクタを定位置に固定するようにレバーの背後に掛止できるように選択可能である。
【００４１】
図１１（同一の参照符号を図１０と同様の構成要素に使用する）は、回路中に直列配置されているマイクロ・スイッチ２０７の使用を示す。
【図面の簡単な説明】
【００４２】
【図１】本発明の原理を例示する模式図である。
【図２】（ａ）乃至（ｃ）は、本発明の第１の実施形態に係る光スイッチング装置の動作を示す図である。
【図３】本発明に係る光スイッチング装置の第２の実施形態を示す図である。
【図４】（ａ）及び（ｂ）は、本発明の第３の実施形態における本発明に係る光スイッチング装置の動作を示す図である。
【図５】（ａ）及び（ｂ）は、変形型の２ｘ２スイッチが使用される光スイッチング装置の動作を例示する図である。
【図６】（ａ）及び（ｂ）は、他の変形型の２ｘ２スイッチを使用する光スイッチング装置の動作を例示する図である。
【図７】本発明の他の変型を示す模式的な斜視図である。
【図８】本発明の他の実施形態に係る受入れ手段を示す端面図である。
【図９】本発明の他の実施形態を示す模式的な平面図である。
【図１０】本発明の他の実施形態を示す模式的な平面図である
【図１１】本発明の他の実施形態を示す模式的な平面図である
【図１】
2006525536.tif 000003
【図２】
2006525536.tif 000004
【図３】
2006525536.tif 000005
【図４】
2006525536.tif 000006
【図５】
2006525536.tif 000007
【図６】
2006525536.tif 000008
【図７】
2006525536.tif 000009
【図８】
2006525536.tif 000010
【図９】
2006525536.tif 000011
【図１０】
2006525536.tif 000012
【図１１】
2006525536.tif 000013
【国際調査報告】
2006525536.tif 000014
2006525536.tif 000015
2006525536.tif 000016